【手続補正書】
【提出日】平成17年9月29日(2005.9.29)
【手続補正１】
【補正対象書類名】明細書
【補正対象項目名】発明の名称
【補正方法】変更
【補正の内容】
【発明の名称】撮像装置の制御方法、撮像装置、及び記録媒体
【手続補正２】
【補正対象書類名】明細書
【補正対象項目名】特許請求の範囲
【補正方法】変更
【補正の内容】
【特許請求の範囲】
【請求項１】  外部装置との通信と、撮影が同時に行われた場合に要する記憶領域の容量と、前記記憶領域の残量とを比較する比較手段と、
前記比較手段による比較の結果に基づき、前記記憶領域に記憶されたデータを削除する削除手段とを有することを特徴とする撮像装置。
【請求項２】  前記比較手段による比較の結果に基づき、前記記憶領域に記憶されたデータを伝送する伝送手段を有し、
前記削除手段は、前記伝送手段によりデータを伝送した後に前記記憶領域に記憶されたデータを削除することを特徴とする請求項１に記載の撮像装置。
【請求項３】  前記削除手段により削除されるデータを選択する選択手段を有することを特徴とする請求項１又は２に記載の撮像装置。
【請求項４】  前記選択手段による選択は、前記記憶領域に記憶されたデータに対応する時間情報、アクセス頻度、マーキング情報、色数情報の少なくとも１つに基づき行うことを特徴とする請求項３に記載の撮像装置。
【請求項５】  前記外部装置との通信は、無線で行われることを特徴とする請求項１又は２に記載の撮像装置。
【請求項６】  前記比較手段は、前記外部装置から受信するデータのサイズ及び前記撮影により得られる撮影画像のサイズと、前記記憶領域の残量とを比較することを特徴とする請求項１又は２に記載の撮像装置。
【請求項７】  前記撮影画像のサイズは、設定された撮影モードに基づいて決定されることを特徴とする請求項６に記載の撮像装置。
【請求項８】  前記外部装置から受信するデータは、電子メールであることを特徴とする請求項６に記載の撮像装置。
【請求項９】  前記比較手段は、シャッターボタンが半押しの状態、シャッターボタンが全押しの状態、撮影可能なモードである状態の少なくとも１つに該当する際に比較を行うことを特徴とする請求項１又は２に記載の撮像装置。
【請求項１０】  前記比較手段は、前記外部装置との通信によって音声データを受信する際には比較を行わないことを特徴とする請求項１又は２に記載の撮像装置。
【請求項１１】  外部装置との通信と、撮影が同時に行われた場合に要する記憶領域の容量と、前記記憶領域の残量とを比較する比較手順と、
前記比較手順による比較の結果に基づき、前記記憶領域に記憶されたデータを削除する削除手順とを有することを特徴とする撮像装置の制御方法。
【請求項１２】  前記比較手順による比較の結果に基づき、前記記憶領域に記憶されたデータを伝送する伝送手順を有し、
前記削除手順では、前記伝送手順によりデータを伝送した後に前記記憶領域に記憶されたデータを削除することを特徴とする請求項１１に記載の撮像装置の制御方法。
【請求項１３】  前記削除手順により削除されるデータを選択する選択手順を有することを特徴とする請求項１１又は１２に記載の撮像装置の制御方法。
【請求項１４】  前記選択手順による選択は、前記記憶領域に記憶されたデータに対応する時間情報、アクセス頻度、マーキング情報、色数情報の少なくとも１つに基づき行うことを特徴とする請求項１３に記載の撮像装置の制御方法。
【請求項１５】  前記外部装置との通信は、無線で行われることを特徴とする請求項１１又は１２に記載の撮像装置の制御方法。
【請求項１６】  前記比較手順では、前記外部装置から受信するデータのサイズ及び前記撮影により得られる撮影画像のサイズと、前記記憶領域の残量とを比較することを特徴とする請求項１１又は１２に記載の撮像装置の制御方法。
【請求項１７】  前記撮影画像のサイズは、設定された撮影モードに基づいて決定されることを特徴とする請求項１６に記載の撮像装置の制御方法。
【請求項１８】  前記外部装置から受信するデータは、電子メールであることを特徴とする請求項１６に記載の撮像装置の制御方法。
【請求項１９】  前記比較手順で、シャッターボタンが半押しの状態、シャッターボタンが全押しの状態、撮影可能なモードである状態の少なくとも１つに該当する際に比較を行うことを特徴とする請求項１１又は１２に記載の撮像装置の制御方法。
【請求項２０】  前記比較手順では、前記外部装置との通信によって音声データを受信する際には比較を行わないことを特徴とする請求項１１又は１２に記載の撮像装置の制御方法。
【請求項２１】  撮像装置の制御のためのコンピュータプログラムを記録したコンピュータ読み取り可能な記録媒体であって、
外部装置との通信と、撮影が同時に行われた場合に要する記憶領域の容量と、前記記憶領域の残量とを比較する比較処理と、
前記比較処理による比較の結果に基づき、前記記憶領域に記憶されたデータを削除する削除処理とをコンピュータに実行させるコンピュータプログラムを記録したことを特徴とするコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、通信機能を備えたディジタルカメラ等に適用される撮像装置の制御方法、撮像装置、及びそれを実施するためのコンピュータプログラムを記録したコンピュータ読み取り可能な記録媒体に関するものである。
【手続補正４】
【補正対象書類名】明細書
【補正対象項目名】００１０
【補正方法】変更
【補正の内容】
【００１０】
そこで、本発明は、上記の欠点を除去するために成されたもので、小型化及び撮影の即時性を保ちながら性能の向上を図ることが可能な、撮像装置の制御方法、撮像装置、及びそれを実施するためのコンピュータプログラムを記録したコンピュータ読み取り可能な記録媒体を提供することを目的とする。
【手続補正５】
【補正対象書類名】明細書
【補正対象項目名】００１１
【補正方法】変更
【補正の内容】
【００１１】
【課題を解決するための手段】
かかる目的において、本発明による撮像装置は、外部装置との通信と、撮影が同時に行われた場合に要する記憶領域の容量と、前記記憶領域の残量とを比較する比較手段と、前記比較手段による比較の結果に基づき、前記記憶領域に記憶されたデータを削除する削除手段を有することを特徴とする。
本発明による撮像装置の制御方法は、外部装置との通信と、撮影が同時に行われた場合に要する記憶領域の容量と、前記記憶領域の残量とを比較する比較手順と、前記比較手順による比較の結果に基づき、前記記憶領域に記憶されたデータを削除する削除手順とを有することを特徴とする。
本発明によるコンピュータ読み取り可能な記録媒体は、撮像装置の制御のためのコンピュータプログラムを記録したコンピュータ読み取り可能な記録媒体であって、外部装置との通信と、撮影が同時に行われた場合に要する記憶領域の容量と、前記記憶領域の残量とを比較する比較処理と、前記比較処理による比較の結果に基づき、前記記憶領域に記憶されたデータを削除する削除処理とをコンピュータに実行させるコンピュータプログラムを記録したことを特徴とする。
【手続補正６】
【補正対象書類名】明細書
【補正対象項目名】０１９６
【補正方法】変更
【補正の内容】
【０１９６】
具体的には例えば、予め指定された撮影モードでの撮影動作により得られる撮影画像データ（第１のデータ）の予定サイズに、受信されたデータ（第２のデータ）を加えた合計データサイズを求め、該合計データサイズとメモリの未記憶量（残量）を比較する。この比較の結果、合計データサイズがメモリの残量より大きかった場合、メモリに既に記憶されているデータに対する情報（記録時刻情報、アクセス頻度情報、外部より付加されるマーキング情報等）を用いて、最も古い情報やアクセス頻度の少ない情報、或いは使用者からマーキング情報が付加されていない情報を、メモリに既に記憶されているデータの中から選択し、その選択したデータを他の機器等に送信する。このように構成すれば、撮影画像データを使用者の意図通りに保つことができ、撮影画像データを失うことがない。また、送信するデータを選択する際に、上記のマーキング情報を用いれば、使用者によってプライオリティ付けがなされたデータは送信されることはない。また、上記のデータの送信を、新たな画像の撮影前に行うように構成すれば、実際に撮影が行われるときには、それに必要なメモリ量が確実に確保された状態となるため、撮影画像データと共に受信データをメモリに確実に記憶することができる。また、上記のデータ送信を、音声データ以外のデータを受信しているときのみ行うように構成すれば、通話等と撮影動作を両立することができる。